(57)【要約】本発明は、パケット・データ・セッションを要求するように構成された送信機を含む携帯電子機器を提供する。また、本発明は、要求されたパケット・データ・セッションについての情報を収集し、収集された情報に基づいて携帯電子機器をネットワークに接続するための携帯電子機器のデフォルト・パラメータを決定する接続回路を提供する。さらに、携帯電子機器を動作させる関連手法についても説明する。
2008518551.tif 000002
【特許請求の範囲】
【請求項１】
ネットワークに携帯電子機器を接続するための方法であって、
パケット・データ・セッションを要求するステップと、
前記要求されたパケット・データ・セッションについての情報を収集するステップと、
前記収集された情報に基づいて、前記ネットワークに前記携帯電子機器を接続するための該携帯電子機器のデフォルト・パラメータを決定するステップと
を含むことを特徴とする方法。
【請求項２】
前記決定するステップに続いて、前記パケット・データ・セッションを確立するために前記携帯電子機器を前記ネットワークに接続するステップをさらに含むことを特徴とする請求項１に記載の方法。
【請求項３】
前記決定するステップに続いて、前記決定されたデフォルト・パラメータを前記携帯電子機器に設定するステップをさらに含むことを特徴とする請求項１に記載の方法。
【請求項４】
前記デフォルト・パラメータは、
電源が投入されると前記ネットワークに自動接続させるための情報、前記パケット・データ・セッションが完了すると前記ネットワークへの接続を維持させるための情報、前記パケット・データ・セッションが完了すると前記ネットワークへの接続を切断させるための情報、前記携帯電子機器の電源が投入されている間にタイマが動作しているうちはネットワークへの接続を維持させるための情報、及び、タイマが満了したときにネットワークへの接続を切断させるための情報のうち、少なくとも１つを含むことを特徴とする請求項３に記載の方法。
【請求項５】
前記デフォルト・パラメータは、タイマが満了したときに前記ネットワークへの接続を切断させるための情報を含み、
前記タイマは、前記携帯電子機器に供給されているか否かに拘わらず動作することを特徴とする請求項４に記載の方法。
【請求項６】
前記タイマは、前記パケット・データ・セッションが要求されるごとにリセットされることを特徴とする請求項５に記載の方法。
【請求項７】
前記収集された情報は、
前記パケット・データ・セッションに関連するアプリケーションのタイプを示す情報、前記アプリケーションの優先度を示す情報、前記アプリケーションの契約状況を示す情報、前記アプリケーションの使用頻度を示す情報、アプリケーションの動向及びパターンの少なくとも１つを示す情報、及び、前記アプリケーションが前回使用されてからの経過時間を示す情報のうち、少なくとも１つを含むことを特徴とする請求項１に記載の方法。
【請求項８】
前記デフォルト・パラメータを決定するステップは、
前記収集された情報を入力として受信するアルゴリズムを使用して、前記デフォルト・パラメータを決定することを特徴とする請求項１に記載の方法。
【請求項９】
前記パケット・データ・セッションを要求するステップに先行して実行される、前記携帯電子機器の自動接続パラメータを無効にするステップをさらに含むことを特徴とする請求項１に記載の方法。
【請求項１０】
前記ネットワークは、グローバル移動通信システム（ＧＳＭ）ネットワークを含み、
前記パケット・データ・セッションは、汎用パケット無線サービス（ＧＰＲＳ）により提供されることを特徴とする請求項１に記載の方法。
【請求項１１】
携帯電子機器をネットワークへ接続させるための方法であって、
パケット・データ・セッション要求に関連する情報に基づいて、前記携帯電子機器をネットワークへ接続するための該携帯電子機器のデフォルト・パラメータを決定するステップと、
前記携帯電子機器に前記決定されたデフォルト・パラメータを設定するステップと
を含むことを特徴とする方法。
【請求項１２】
前記デフォルト・パラメータを決定するステップに先行して実行される、
前記パケット・データ・セッションを要求するステップと、
前記要求されたパケット・データ・セッションに関連する情報を収集するステップと
をさらに含むことを特徴とする請求項１１に記載の方法。
【請求項１３】
前記デフォルト・パラメータを決定するステップに続いて実行される、
前記パケット・データ・セッションを確立するために、前記携帯電子機器を前記ネットワークへ接続するステップをさらに含むことを特徴とする請求項１２に記載の方法。
【請求項１４】
前記デフォルト・パラメータは、
電源が投入されると前記ネットワークに自動接続させるための情報、前記パケット・データ・セッションが完了すると前記ネットワークへの接続を維持させるための情報、前記パケット・データ・セッションが完了すると前記ネットワークへの接続を切断させるための情報、前記携帯電子機器の電源が投入されている間にタイマが動作しているうちはネットワークへの接続を維持させるための情報、及び、タイマが満了したときにネットワークへの接続を切断させるための情報のうち、少なくとも１つを含むことを特徴とする請求項１１に記載の方法。
【請求項１５】
前記デフォルト・パラメータは、タイマが満了したときに前記ネットワークへの接続を切断させるための情報を含み、
前記タイマは、前記携帯電子機器に電力が供給されているか否かに拘わらず動作することを特徴とする請求項１４に記載の方法。
【請求項１６】
前記タイマは、前記パケット・データ・セッションが要求されるごとにリセットされることを特徴とする請求項１５に記載の方法。
【請求項１７】
前記収集された情報は、
前記パケット・データ・セッションに関連するアプリケーションのタイプを示す情報、前記アプリケーションの優先度を示す情報、前記アプリケーションの契約状況を示す情報、前記アプリケーションの使用頻度を示す情報、アプリケーションの動向及びパターンの少なくとも１つを示す情報、及び、前記アプリケーションが前回使用されてからの経過時間を示す情報のうち、少なくとも１つを含むことを特徴とする請求項１１に記載の方法。
【請求項１８】
前記デフォルト・パラメータを決定するステップは、
前記収集された情報を入力として受信するアルゴリズムを使用して、前記デフォルト・パラメータを決定することを特徴とする請求項１１に記載の方法。
【請求項１９】
前記パケット・データ・セッションを要求するステップに先行して実行される、前記携帯電子機器の自動接続パラメータを無効にするステップをさらに含むことを特徴とする請求項１２に記載の方法。
【請求項２０】
前記ネットワークは、グローバル移動通信システム（ＧＳＭ）ネットワークを含み、
前記パケット・データ・セッションは、汎用パケット無線サービス（ＧＰＲＳ）により提供されることを特徴とする請求項１１に記載の方法。
【請求項２１】
携帯電子機器であって、
パケット・データ・セッションを要求する送信機と、
要求された前記パケット・データ・セッションについての情報を収集し、収集された該情報に基づいてネットワークへ前記携帯電子機器を接続するための該携帯電子機器のデフォルト・パラメータを決定する接続回路と
を備えることを特徴とする携帯電子機器。
【請求項２２】
前記送信機は、
前記パケット・データ・セッションを確立するために、前記携帯電子機器を前記ネットワークへ接続することを特徴とする請求項２１に記載の携帯電子機器。
【請求項２３】
前記接続回路は、
前記決定されたデフォルト・パラメータを前記携帯電子機器に設定することを特徴とする請求項２１に記載の携帯電子機器。
【請求項２４】
前記デフォルト・パラメータは、
電源が投入されると前記ネットワークに自動接続させるための情報、前記パケット・データ・セッションが完了すると前記ネットワークへの接続を維持させるための情報、前記パケット・データ・セッションが完了すると前記ネットワークへの接続を切断させるための情報、前記携帯電子機器の電源が投入されている間にタイマが動作しているうちはネットワークへの接続を維持させるための情報、及び、タイマが満了したときにネットワークへの接続を切断させるための情報のうち、少なくとも１つを含むことを特徴とする請求項２３に記載の携帯電子機器。
【請求項２５】
前記デフォルト・パラメータは、タイマが満了したときに前記ネットワークへの接続を切断させるための情報を含み、
前記携帯電子機器に電力が供給されているか否かに拘わらず動作するタイマ回路をさらに備えることを特徴とする請求項２４に記載の携帯電子機器。
【請求項２６】
前記タイ回路マは、前記パケット・データ・セッションが要求されるごとに前記タイマをリセットすることを特徴とする請求項２５に記載の携帯電子機器。
【請求項２７】
前記収集された情報は、
前記パケット・データ・セッションに関連するアプリケーションのタイプを示す情報、前記アプリケーションの優先度を示す情報、前記アプリケーションの契約状況を示す情報、前記アプリケーションの使用頻度を示す情報、アプリケーションの動向及びパターンの少なくとも１つを示す情報、及び、前記アプリケーションが前回使用されてからの経過時間を示す情報のうち、少なくとも１つを含むことを特徴とする請求項２１に記載の携帯電子機器。
【請求項２８】
前記接続回路は、
前記収集された情報を入力として受信するアルゴリズムを使用して、前記デフォルト・パラメータを決定することを特徴とする請求項２１に記載の携帯電子機器。
【請求項２９】
前記接続回路は、
前記携帯電子機器の自動接続パラメータを無効にすることを特徴とする請求項２１に記載の携帯電子機器。
【請求項３０】
前記ネットワークは、グローバル移動通信システム（ＧＳＭ）ネットワークを含み、
前記パケット・データ・セッションは、汎用パケット無線サービス（ＧＰＲＳ）により提供されることを特徴とする請求項２１に記載の携帯電子機器。
【発明の詳細な説明】
【技術分野】
【０００１】
本発明は携帯電子機器に関するものであり、より詳細には、カスタマイズされたネットワークへの接続用パラメータを有する携帯電子機器、及びその携帯電子機器を動作させる方法に関するものである。
【背景技術】
【０００２】
近年、無線通信の分野は急激な広がりを呈している。コードレスでセル方式の携帯電話、ポケベル、無線モデム、無線電子メール装置、通信機能を備えた携帯情報端末（ＰＤＡ）のような携帯電子機器、及びその他の携帯電子機器が一般的なものとなっている。これらの携帯電子機器の多くは、パケット・データ通信、例えば、プッシュ・ツー・トーク（ＰＴＴ）通信用やインターネット通信用に構成されている。パケット・データ通信の一例としては、汎用パケット無線サービス（ＧＰＲＳ）がある。ＧＰＲＳは、グローバル移動通信システム（ＧＳＭ）のネットワーク向けの無線技術であり、パケット交換プロトコルをＧＳＭネットワークに付加する無線技術である。
【発明の開示】
【発明が解決しようとする課題】
【０００３】
ＧＰＲＳパケット・データ通信用に構成された従来の携帯電子機器では、一般に、携帯電子機器の電源を投入すると、自動的にネットワークに接続（アタッチ）する。携帯電子機器を使用するユーザのうちの少数が、実際にその機器のパケット・データ機能を利用するだけにもかかわらず、多くの場合、携帯電子機器では自動的にネットワークへの接続を行う。このように、携帯電子機器のパケット・データ機能を極めて稀にしか使用しない機器によりネットワーク資源が占有され、ネットワーク上のトラフィックが制限される。一部のモバイル・ネットワーク・プロバイダでは、これらの理由によって、電源を投入したときに自動的にネットワークへ接続することに対して懸念を表明している。考えられる解決策の１つは、携帯電子機器の自動接続パラメータを無効にすることである。しかし、この解決策は、携帯電子機器がネットワークに接続するたびに生じる遅延のために、実際にパケット・データ機能を使うユーザに悪影響を与えることになるであろう。したがって、改良された携帯電子機器及び関連した方法が望まれている。
【課題を解決するための手段】
【０００４】
本発明の実施形態は、パケット・データ・セッションを要求する送信機を含む携帯電子機器を提供する。また、本発明の実施形態においては、要求されたパケット・データ・セッションについての情報を収集し、収集された情報に基づいて携帯電子機器をネットワークに接続（アタッチ）するための携帯電子機器のデフォルト・パラメータを決定する接続回路も提供される。
【０００５】
本発明の他の実施形態では、パケット・データ・セッションを確立するために携帯電子機器をネットワークに接続するように送信機を構成してもよい。決定されたデフォルト・パラメータを携帯電子機器に設定するように、その接続回路をさらに構成することもできる。デフォルト・パラメータは、電源を投入したときにネットワークに自動接続させるための情報、パケット・データ・セッションが完了した後もネットワークへの接続を維持させるための情報、パケット・データ・セッション完了時にネットワークへの接続を切断（デタッチ）させるための情報、携帯電子機器の電源が投入されている間にタイマが動作しているうちはネットワークへの接続を維持させるための情報、及び、タイマが満了したときにネットワークへの接続を切断させるための情報のうち、少なくとも１つを含んでもよい。
【０００６】
本発明の他の実施形態では、デフォルト・パラメータが、タイマが満了したときにネットワークへの接続を切断させる情報を含んでもよい。当該形態電子機器には、電力が携帯電子機器に供給されているか否かに拘わらず動作するように構成されたタイマ回路をさらに含んでもよい。タイマ回路は、さらに、パケット・データ・セッションが要求されるごとにタイマをリセットしてもよい。
【０００７】
本発明の実施形態では、収集された情報に、パケット・データ・セッションに使われるアプリケーションのタイプ、当該アプリケーションの優先度、アプリケーションの契約状況、そのアプリケーションの使用頻度、そのアプリケーションの動向及び／又はパターン、及び、そのアプリケーションが前回使用されてからの経過時間のうち、少なくとも１つを含めてもよい。
【０００８】
本発明の他の実施形態では、そのデフォルト・パラメータが、収集された情報を入力として受信するアルゴリズムを用いて決定されてもよい。携帯電子機器の自動接続パラメータを無効にするように接続回路を構成してもよい。本発明の他の実施形態では、ネットワークにグローバル移動通信システム（ＧＳＭ）のネットワークを含み、パケット・データ・セッションが汎用パケット無線サービス（ＧＰＲＳ）により提供されてもよい。
【０００９】
本発明について、ここまで主として携帯電子機器に関して説明したが、携帯電子機器を動作させる方法についてもまた提供される。
【発明を実施するための最良の形態】
【００１０】
以下では、本発明の実施形態を示した添付図面を参照して、本発明についてより詳細に説明する。図面では、領域の相対的な大きさ又は特徴が、明確化するためにやや誇張されている場合もある。しかしながら、本発明は、数多くの様々な形態で実施可能であり、本明細書で説明している実施形態に限定されない。むしろ、これらの実施形態は、本開示が詳細で完全なものであり、当業者に対して本発明の範囲を十分に伝えるものとなるように提供されている。当然のことながら、ある要素がもう１つの要素と"結合される"又は"接続される"と称されるとき、それが他の要素と直接結合されるか、又は、直接接続されることができることを示す。或いは、介在する要素が存在する場合もある。それに引き換え、ある要素がもう１つの要素と"直接結合される"か、又は、"直接接続される"と称されるときは、介在する要素は存在しない。同じ番号は、初めから終わりまで、同じ要素を指している。本明細書では、用語"及び／又は"は、関連して挙げられた１つ以上の項目の任意及びすべての組み合わせを含んでいる。当業者に高く評価されることになるように、本発明は、完全にハードウェアによる実施形態、完全にソフトウェアによる実施形態、又は本明細書で一般的に"回路"又は"モジュール"と称されるソフトウェア形態及びハードウェア形態を組み合わせた実施形態の形をとることができる。
【００１１】
本明細書で使用する専門用語は、特定の実施形態を説明するためのものではなく、本発明に制限を加えようとするものでもない。本明細書では、コンテキストから明確にそれとは違って指示してない限り、単数形の不定冠詞（"a"，"an"）及び定冠詞（"the"）は、同時に複数形をも意図している。さらに当然のことながら、用語"を含む"及び"を含んでいる"が本明細書で使われているときは、提示した特徴、整数、ステップ、動作、要素、及び／又は構成要素が存在することを指定している。しかしながら、１以上の他の特徴、整数、ステップ、動作、要素、構成要素、及び／又はそれらの集まり又は追加を除外するものではない。
【００１２】
異なる定義をしていない限り、本明細書で使用する全ての用語（技術用語及び科学用語を含む。）は、本発明が属する通常の当業者により普通に理解される程度の意味を示す。さらに当然のことながら、用語は、普通に使われている辞書類で定義されているそれらと同様に、従来の技術に照らしてそれらの意味と一致する意味合いを持つものと解釈されるべきであり、本明細書で明確にそのように定義されない限り、理想化された又は過度に形式的な意味で解釈されるものではない。
【００１３】
次に、本発明の実施形態について、図１乃至図３に関して以下に説明する。本発明の実施形態では、電源を投入したときに、携帯電子機器が自動的にネットワークへ接続しないように、自動接続パラメータを無効にした携帯電子機器を提供する。本明細書では、パケット・データ・セッションを要求したとき、本発明の実施形態に係る携帯電子機器が、要求されたパケット・データ・セッションについての情報を収集及び計算し、収集及び計算された情報に基づいて、携帯電子機器のデフォルト・パラメータを決定する。このように、本発明の実施形態に係る携帯電子機器が、当該携帯電子機器の実際の使用状況に基づいてカスタマイズされた接続手順を提供し、本明細書で以下に説明するように、パケット・データ通信を利用しない機器に配分されても使用されない帯域の総量を、可能な限り低減している。
【００１４】
本発明の実施形態に係る接続回路及びタイマ回路を含む移動端末の説明図及びブロック図を用いて、本発明について以下に説明する。本明細書では、接続回路及びタイマ回路が、移動端末、例えば図１の移動端末２２の一部として含まれているように説明する。しかしながら、本発明の実施形態ではこのような機器構成に限定しない。本発明の実施形態に係る接続回路及びタイマ回路は、本発明の範囲から逸脱することなく、パケット・データ・ネットワークと通信を行うように構成された任意の携帯電子機器に組み込むことができる。
【００１５】
次に、図１を参照して、本発明の実施形態に係る１つの例示的な無線電話通信システム、即ち、無線通信ネットワーク２４の一部である基地局送受信機及び移動端末２２を含む無線電話通信システムについて説明する。図示されているように、無線通信ネットワーク２４は、例えば在圏ＧＰＲＳサポート・ノード（ＳＧＳＮ）と通信を行うように構成される基地局送受信機を含むことができる。移動端末２２は携帯型の筐体２３を含むとともに、マンマシンインタフェース２６、ディスプレイ２８、スピーカ３２、マイクロホン３４、送受信機３６、及びアプリケーション情報３７とパラメータ３９とを格納するメモリ３８を含む。また、これらの何れもがプロセッサ４２と通信を行うことができる。さらに、本発明の実施形態に係る移動端末２２は、接続回路２７及びタイマ回路２５をさらに含み、これらもまたコントローラ／プロセッサ４２と通信を行う。プロセッサ４２は、任意の市販又はカスタム・マイクロプロセッサで賄うことができる。
【００１６】
送受信機３６は、通常、送信機回路４４及び受信回路４６からなり、それぞれは、アンテナ４８を通して、ネットワーク２４に無線周波数発信信号を送信したり、ネットワーク２４から音声信号及びデータ信号のような無線周波数着信信号を受信したりする。アンテナ４８は、本発明の範囲を逸脱しなければ、内蔵アンテナ、格納式アンテナ又は当業者に知られた何れのアンテナでもよい。移動端末２２とネットワーク２４との間で送信される無線周波数信号には、トラフィックとともに、もう一方の相手又は宛先との通信を確立するため、及び維持するために使用する制御信号（例えば、ページング信号／着信呼に対するメッセージ）を含みうる。プロセッサ４２は、各移動端末２２の特有の機能に基づいて、ネットワーク接続のカスタマイズ化を可能にする接続用アルゴリズムを含め、移動端末２２の様々な機能をサポートすることができる。
【００１７】
本明細書では、用語"携帯電子機器"又は"移動端末"には、以下に記載する機器を含むことができる。例えば、マルチライン・ディスプレイの有／無双方のセル方式無線電話、セル方式無線電話にデータ処理、ファクシミリ及びデータ通信機能を組み合わせられるパーソナル通信システム（ＰＣＳ）端末を含む。また、無線電話、ポケベル、インターネット／イントラネット・アクセス、ウェブブラウザ、システム手帳、カレンダー及び／又はグローバル測位システム（ＧＰＳ）受信機を組み込むことができる携帯情報端末（ＰＤＡ）を含む。さらに、ゲーム機器、オーディオ・ビデオ・プレイヤー、及び無線電話送受信機を内蔵できる通常のラップトップ及び／又はパームトップの携帯型コンピュータを含む。
【００１８】
本発明の実施形態によれば、ネットワーク２４には、セル方式ネットワーク内の個々のセルを定義する無線送受信機（群）を含み、移動端末２２及び無線リンク・プロトコルを用いるセル内の他の移動端末と通信を行う基地局送受信機が含まれる。当然のことながら、本発明の実施形態では、多数の基地局送受信機は、例えば、ある移動電話交換局及び無線通信ネットワークを定義する他の装置群を介して接続されることができる。
【００１９】
本発明は、移動端末２２のように、通信装置又は通信システム内における形態で実施可能である。しかしながら、本発明はそのような装置及び／又はシステムに限定されるものではない。代替例として、本発明は、パケット・データ通信用のネットワークに接続する任意の機器内における形態で実施されうる。次に、移動端末２２の動作について、図１に関して説明する。当然のことながら、従来の携帯電子機器とは異なり、本発明の実施形態に係る移動端末２２の自動接続パラメータは、無効にされうる。特に、パケット・データ通信、例えば、ＧＰＲＳ接続向けに構成された従来の携帯電子機器、に電源が投入されると、通常、自動接続（ＧＰＲＳ接続）が実行される。言い換えると、ＧＳＭネットワークには、その携帯電子機器がパケット通信を実行可能であること、及びパケット・アプリケーションを介してその装置が"ページング可能"になっていることが通知される。本発明の実施形態に係る移動端末２２は自動的には接続しない。即ち、自動接続パラメータが、初めは無効にされている。さらに本明細書で説明しているように、本発明の実施形態に係る移動端末２２は、パケット・データ・セッションが要求されるまで、ネットワークに接続を試みない。本発明の実施形態では、ネットワークはＧＳＭネットワークの場合もあり、そのパケット・データ・セッションは、ＧＰＲＳによって提供されてもよい。しかしながら、本発明の範囲を逸脱することなく、任意のネットワーク及び／又はパケット・データ伝送のフォーマットを使用することができる。
【００２０】
送信機４４は、例えば移動端末２２において、パケット・データ・セッションを要求する。当然のことながら、送信機４４は、パケット・データ・セッションを要求する前に、プロセッサ４２や接続回路２７などと通信を行う。パケット・データ・セッションは、例えばプッシュ・ツー・トーク（ＰＴＴ）セッション、インターネット又はその他同種のものについての情報の要求である場合もある。送信機４４がパケット・データ・セッションの要求を開始すると、接続回路２７は、要求されたパケット・データ・セッション及び移動端末２２の使用パターンについての情報３７を収集し、計算するアルゴリズムを実行する。収集された情報３７には、パケット・データ・セッション、例えば、ＰＴＴに関連したアプリケーションのタイプを含むほか、アプリケーションの優先度、例えばこのユーザがＰＴＴの契約をしているといったアプリケーションの契約状況、アプリケーションの使用頻度、例えばこのアプリケーションは携帯電子機器がローミング中であれば決して使用されないといったアプリケーションの動向及び／又はパターン、アプリケーションが前回使用されてからの経過時間、及び、これらの任意の組み合わせを含めることができる。優先度情報は、移動端末２２のユーザによってカスタマイズ可能である。例えば、インターネットへのアクセスは、通常は優先度の低いアプリケーションであり得るけれども、ユーザによってはインターネットへのアクセスを優先度の高いアプリケーションにカスタマイズすることができる。当然のことながら、この情報の一部は、計算されることができる。本発明の他の実施形態によれば、その情報には、さらに、移動端末２２によって、単に要求されたアプリケーションだけでなく、任意のデータ・パケット・アプリケーションの使用頻度が含まれる場合もある。本発明の実施形態では、移動端末に関する情報が、携帯電話機本体、ＳＩＭカード又はそれら双方に関連する場合もある。例えば、ユーザが、ＳＩＭカードを１つの移動端末からもう１つの移動端末に移し変えた場合、第２の移動端末のパラメータを第１の移動端末で使用されていたそれらに設定するように、第２の移動端末を構成してもよい。したがって、第１の移動端末が自動的に接続するように構成されていれば、第２の移動端末もまた、自動的に接続するように構成される。
【００２１】
さらに、接続回路２７は、携帯電子機器をネットワークへ接続するための携帯電子機器のデフォルト・パラメータ３９を、収集されて計算された情報に基づいて決定する。例えば、接続回路２７は、あるアルゴリズムを収集された情報に適用し、携帯電子機器に対して次に電源が投入されたときに自動的にネットワークへ接続するか否かを決定するために用いる。この決定は、収集されて計算された情報に基づいてもよい。例えば、あるタイプのアプリケーションは非常に重要であり、移動端末２２が当該アプリケーションを一度でも使用すると、移動端末２２は、常に電源が投入されたときにネットワークへの接続を行う。他のタイプのアプリケーションでは、自動接続パラメータが移動端末２２内で有効となるまでに、一定の回数、例えば三回、使用されるようにしてもよい。
【００２２】
本発明の他の実施形態では、アプリケーションが移動端末２２のタイマを設定してもよく、この場合、移動端末２２に電源が投入されている間は、タイマが満了するまで移動端末２２のネットワークへの接続を維持することになる。このように、当該パラメータは、電源を投入したときにネットワークへ自動接続させるための情報、パケット・データ・セッション完了時もネットワークへの接続状態を維持させるための情報、パケット・データ・セッション完了時にネットワークへの接続を切断させるための情報、移動端末２２の電源が投入されている間でタイマが動作しているうちはネットワークへの接続を維持させるための情報、及び／又はタイマが満了したときにネットワークへの接続を切断させるための情報を含んでもよい。当該パラメータが決定されると、接続回路２７は、パラメータ３９を移動端末２２に設定する。
【００２３】
以上説明したように、本発明の実施形態では、デフォルト・パラメータが、タイマが満了したときにネットワークへの接続を切断させる情報を含み、タイマ回路２５が設定され、移動端末２２に電源が投入されている間はタイマが満了するまでネットワークへの接続を維持するように、移動端末２２を構成することができる。タイマ回路２５は、電力が移動端末２２に供給されているか否か、即ち、移動端末２２に電源が投入されているか否かに拘わらず、動作するようにしてもよい。移動端末２２の電源が切れている間もタイマは動作し続けるが、移動端末２２の電源が切れている間は、移動端末２２はネットワークへの接続を行わない。より詳細には、移動端末２２に電力が供給されているか否かに拘わらず、動作することができるタイマを設定するように、タイマ回路２５を構成する。タイマが動作している間は、移動端末２２は、電源を投入したときに自動的にネットワークに接続することができる。タイマが満了すると、そのとき移動端末２２内のデフォルト値（デフォルト・パラメータ）が元の状態に戻り、移動端末２２に電源が投入された場合であっても、移動端末２２は自動接続をしないようになる。本発明の実施形態では、タイマ回路２５は、パケット・データ・セッションが要求されるごとに、タイマをリセットしてもよい。したがって、ユーザが継続してパケット・データ・セッションを要求し続けると、移動端末２２はかなり長い期間にわたってネットワークへの接続を維持することができる。
【００２４】
パラメータ３９が設定されると、移動端末２２は、送信機４４を用いてネットワークに接続される。移動端末２２がネットワークに接続されると、そのアプリケーションが要求すれば、パケット・データ・プロトコル（ＰＤＰ）のコンテキストが構築される。ＰＤＰのコンテキストは、移動端末２２とインターネット・プロトコル（ＩＰ）ネットワークとの間の接続経路を確立する。１つのＰＤＰコンテキストは１つのパケット・データ・アプリケーションに関連付けられる。ＰＤＰコンテキストが構築されると、アプリケーション・データがテンポラリ・ブロック・フロー（ＴＢＦ）を通過することができる。データが伝送可能になると、１つのＴＢＦが確立されて、データが送られ、その後ＴＢＦが削除される。当然のことながら、１つのＰＤＰコンテキストが構築されるまではＴＢＦを確立することはできない。さらに、移動端末２２がネットワークに接続されるまでは、１つのＰＤＰコンテキストを構築することはできない。
【００２５】
次に、図２及び図３を参照して、本発明の実施形態に係るネットワークへの接続を行う携帯電子機器の動作について説明する。図２を参照すると、パケット・データ・セッションを要求することにより、ブロック２０５から動作が開始される。パケット・データ・セッションには、例えばプッシュ・ツー・トーク（ＰＴＴ）セッション、インターネット・セッションその他同種のものがあり得る。パケット・データ・セッションが要求されると、要求されたパケット・データ・セッションについての情報が要求される（ブロック２１０）。例えば、当該情報は、要求されたアプリケーションがこの携帯電子機器によってどれぐらいの頻度で使用されるかを示す情報、どのパケット・データ・アプリケーションがどれぐらいの頻度で使用されるかを示す情報を含む。また、当該情報は、このアプリケーションに関連する優先度を示す情報、即ち、その後の自動接続を保証することになるアプリケーションのタイプ、例えばＰＴＴなどの情報を含む。また、当該情報は、この携帯電子機器の使用動向はどのようなものかを示す情報、即ち、その電話がローミング中にパケット・データ通信にアクセスしがちであるという情報を含む。また、当該情報は、この携帯電子機器が要求されたアプリケーションを契約しているという情報を含む。また、当該情報は、この携帯電子機器はパケット・データ通信にどれぐらいの頻度でアクセスしてきているかを示す情報、特定の携帯電話装置（本体）及び／又はＳＩＭカードの履歴を示す情報を含む。このように、当該情報は、上述した情報などの少なくとも１つの情報を含む。
【００２６】
当該情報が収集され、及び／又は計算されると、収集された情報に基づいて携帯電子機器をネットワークに接続するための携帯電子機器のデフォルト・パラメータを決定する（ブロック２２０）。そのデフォルト・パラメータは、例えば、電源を投入したときにネットワークに自動接続させるための情報、パケット・データ・セッション完了後もネットワークへの接続を維持させるための情報、パケット・データ・セッション完了時にネットワークへの接続を切断させるための情報、移動端末２２に電源が投入されている間でタイマが動作しているうちはネットワークへの接続を維持させるための情報、及び／又はタイマが満了したときにネットワークへの接続を切断させるための情報を含んでもよい。例えば、一部のアプリケーションは非常に重要でる場合、携帯電子機器がこのアプリケーションを一度要求すると、その携帯電子機器に電源が投入されると、常にネットワークに接続しようとする。さらに、一部のアプリケーションはあまり重要ではない場合、携帯電子機器が、例えば５回要求されると、その後携帯電子機器は、タイマで設定された限られた期間のみ、ネットワークへの接続を行うようにしてもよい。
【００２７】
次に、図３を参照すると、携帯電子機器の自動接続パラメータを無効にすることにより、ブロック３００から動作が開始される。本発明の実施形態では、携帯電子機器の自動接続パラメータはデフォルトで無効にされている。したがって、自動接続パラメータの無効化は、ユーザがその携帯電子機器を入手する以前に工場で行われている。パケット・データ・セッションは、携帯電子機器から要求される（ブロック３０５）。パケット・データ・セッションは、例えばプッシュ・ツー・トーク（ＰＴＴ）セッション、インターネット・セッションなどがある。パケット・データ・セッションが要求されると、要求されたパケット・データ・セッションについての情報が要求される（ブロック３１０）。その情報が収集されると、収集された情報に基づいて携帯電子機器をネットワークに接続するのための携帯電子機器のデフォルト・パラメータを決定する（ブロック３２０）。本発明の実施形態では、そのデフォルト・パラメータが、収集された情報を入力として受信するアルゴリズムを用いて決定されてもよい。
【００２８】
デフォルト・パラメータが決定されると、そのデフォルト・パラメータは、携帯電子機器内に設定される（ブロック３３０）。携帯電子機器はネットワークに接続する（ブロック３３５）。ネットワークは、グローバル移動通信システム（ＧＳＭ）のネットワークである場合、パケット・データ・セッションは、汎用パケット無線サービス（ＧＰＲＳ）により提供される。パケット・データ・セッションが終了しているか否かが判断される（ブロック３４０）。セッションがまだ終了していないと判断されると、そのセッションが終了するまで、動作はブロック３４０に留まる。セッションが終了していると判断されると、デフォルト・パラメータが、携帯電子機器のネットワークへの接続を切断させる情報を示しているか否かが判断される（ブロック３５０）。携帯電子機器のネットワークへの接続を切断するべきであると判断されると、携帯電子機器は接続を切断し、別のパケット・データ・セッションが要求されるまで動作を停止する。携帯電子機器のネットワークへの接続を切断するべきでないと判断すると、タイマが設定されているか否か及びタイマが満了しているか否かが判断される（ブロック３６０）。タイマがまだ満了していないと判断されると、タイマが満了するまで動作がブロック３６０に留まる。本発明の実施形態では、パケット・データ・セッションに対する要求が受け取られるたびに、タイマをリセットしてもよい。タイマが満了していると判断されると、携帯電子機器はネットワークへの接続を切断し、次のパケット・データ・セッションが要求されるまで待機する。本発明の実施形態によれば、携帯電子機器の電源が切れている場合であっても、タイマが動作可能に構成されうる。
【００２９】
図面及び明細書において、本発明の典型的な実施形態について示した。また、特定の用語を使用したが、それらの用語は単に一般的で説明的な意味合いで使用されていて、限定する意図はなく、添付の特許請求の範囲で説明している本発明の範囲においても使用されている。
【図面の簡単な説明】
【００３０】
【図１】図１は、本発明の実施形態に係る移動端末及び１つの例示的な基地局送受信機の説明図である。
【図２】図２は、本発明の実施形態に係る携帯電子機器の動作を説明するフローチャートである。
【図３】図３は、本発明の他の実施形態に係る携帯電子機器の動作を説明するフローチャートである。
【図１】
2008518551.tif 000003
【図２】
2008518551.tif 000004
【図３】
2008518551.tif 000005
【国際調査報告】
2008518551.tif 000006
2008518551.tif 000007
2008518551.tif 000008